(57)【要約】  本発明は、虚血により傷害を受けた臓器または組織の再灌流を、ポストコンディショニング（事後条件付け）の効果を増強する１種以上の組織保護剤の投与と組合わせて、ポストコンディショニングする方法を提供する。さらに、心臓再灌流後の心臓への障害を予防するために、ポストコンディショニングの効果を増強する１種以上の組織保護剤の投与と組合わせて、対象の心筋梗塞を処置する方法が提供される。
2008525468.tif 000002
【特許請求の範囲】
【請求項１】
虚血事象後の臓器または組織への再灌流の前、その間、またはその後の、対象における臓器または組織に対する傷害を予防する方法であって：
ａ）約５秒ないし約５分間、臓器の灌流を停止すること；
ｂ）約５秒ないし約５分間、臓器の灌流を再開すること；
ｃ）処置ａ）およびｂ）を約２回ないし約５０回連続的に繰り返すこと；
ｄ）臓器または組織の灌流を中断させないこと；および
ｅ）１種以上の組織保護剤の有効量を医薬的に許容される担体とともに対象に投与し、それによって該対象の臓器または組織に対する傷害を予防すること；
を特徴とする方法。
【請求項２】
該臓器または組織が、心臓、脳、眼、腎臓、腸、膵臓、肝臓、肺または骨格筋である請求項１に記載の方法。
【請求項３】
該対象が哺乳動物である請求項１に記載の方法。
【請求項４】
該哺乳動物がヒトである請求項３に記載の方法。
【請求項５】
灌流停止を、臓器または組織に血液を供給する血管の内腔内でバルーンにより実施する請求項１に記載の方法。
【請求項６】
該バルーンが膨張可能であり、また縮小可能である請求項５に記載の方法。
【請求項７】
灌流の停止を、臓器または組織に血液を供給する血管の外部からの圧迫により実施する請求項１に記載の方法。
【請求項８】
組織保護剤が、ナトリウム／水素交換（ＮＨＥ−１）インヒビター；抗炎症剤；抗酸化剤；プロテアーゼインヒビター；ナトリウムチャネル遮断剤；ＫＡＴＰチャネル調節剤；カルシウムチャネルアンタゴニストおよび調節剤；オピオイド；血栓調節剤；代謝増強剤；緩衝剤および調節剤；エンドセリン−１アンタゴニスト、インヒビターおよび調節剤；アポトーシスインヒビター；ミトコンドリア透過性転移穿孔インヒビター；シグナル伝達促進剤およびインヒビター；麻酔剤；およびスタチン；からなる群より選択される１種以上である請求項１に記載の方法。
【請求項９】
該保護剤がナトリウム／水素交換インヒビターである請求項８に記載の方法。
【請求項１０】
該ナトリウム／水素交換インヒビターがカリポリドまたはエニポリドである請求項９に記載の方法。
【請求項１１】
カリポリドの投与量が１日１２０ｍｇ３回である請求項１０に記載の方法。
【請求項１２】
エニポリドの投与量が３ｍｇ／ｋｇである請求項１０に記載の方法。
【請求項１３】
心臓の虚血事象と診断された対象の心臓への傷害を予防する方法であって：
ａ）冠状動脈の内腔の障害物を取り除くこと；
ｂ）約５秒ないし約５分間、心臓を灌流すること；
ｃ）約５秒ないし約５分間、心臓の灌流を停止すること；
ｄ）処置ｂ）およびｃ）を約２回ないし約５０回連続的に繰り返すこと；
ｅ）心臓の灌流を中断させないこと；および
ｆ）１種以上の組織保護剤の有効量を医薬的に許容される担体とともに対象に投与し、それによって該対象の心臓に対する傷害を予防すること；
を特徴とする方法。
【請求項１４】
灌流停止を、冠状動脈の内腔内でバルーンにより実施する請求項１３に記載の方法。
【請求項１５】
該バルーンが膨張可能であり、また縮小可能である請求項１４に記載の方法。
【請求項１６】
灌流の停止を、冠状動脈の外部からの圧迫により実施する請求項１３に記載の方法。
【請求項１７】
組織保護剤が、ナトリウム／水素交換（ＮＨＥ−１）インヒビター；抗炎症剤；抗酸化剤；プロテアーゼインヒビター；ナトリウムチャネル遮断剤；ＫＡＴＰチャネル調節剤；カルシウムチャネルアンタゴニストおよび調節剤；オピオイド；血栓調節剤；代謝増強剤；緩衝剤および調節剤；エンドセリン−１アンタゴニスト、インヒビターおよび調節剤；アポトーシスインヒビター；ミトコンドリア透過性転移穿孔インヒビター；シグナル伝達促進剤およびインヒビター；麻酔剤；およびスタチン；からなる群より選択される１種以上である請求項１３に記載の方法。
【請求項１８】
該保護剤がナトリウム／水素交換インヒビターである請求項１７に記載の方法。
【請求項１９】
該ナトリウム／水素交換インヒビターがカリポリドまたはエニポリドである請求項１８に記載の方法。
【請求項２０】
カリポリドの投与量が１日１２０ｍｇ３回である請求項１９に記載の方法。
【請求項２１】
エニポリドの投与量が３ｍｇ／ｋｇである請求項１９に記載の方法。
【請求項２２】
虚血事象後の臓器または組織への再灌流の前、その間、またはその後の、対象における臓器または組織に対する傷害を防止する方法であって：
ａ）約５秒ないし約５分間、臓器の灌流を減少させること；
ｂ）約５秒ないし約５分間、臓器の灌流を再開すること；
ｃ）処置ａ）およびｂ）を約２回ないし約５０回連続的に繰り返すこと；
ｄ）臓器または組織の灌流を中断させないこと；および
ｅ）１種以上の組織保護剤の有効量を医薬的に許容される担体とともに対象に投与し、それによって該対象の臓器または組織に対する傷害を予防すること；
を特徴とする方法。
【請求項２３】
該臓器または組織が、心臓、脳、眼、腎臓、腸、膵臓、肝臓、肺または骨格筋である請求項２２に記載の方法。
【請求項２４】
該対象が哺乳動物である請求項２２に記載の方法。
【請求項２５】
該哺乳動物がヒトである請求項２４に記載の方法。
【請求項２６】
灌流減少を、臓器または組織に血液を供給する血管の内腔内でバルーンにより実施する請求項２２に記載の方法。
【請求項２７】
該バルーンが膨張可能であり、また縮小可能である請求項２６に記載の方法。
【請求項２８】
灌流の減少を臓器または組織に血液を供給する血管の外部からの圧迫により実施する請求項２２に記載の方法。
【請求項２９】
組織保護剤が、ナトリウム／水素交換（ＮＨＥ−１）インヒビター；抗炎症剤；抗酸化剤；プロテアーゼインヒビター；ナトリウムチャネル遮断剤；ＫＡＴＰチャネル調節剤；カルシウムチャネルアンタゴニストおよび調節剤；オピオイド；血栓調節剤；代謝増強剤；緩衝剤および調節剤；エンドセリン−１アンタゴニスト、インヒビターおよび調節剤；アポトーシスインヒビター；ミトコンドリア透過性転移穿孔インヒビター；シグナル伝達促進剤およびインヒビター；麻酔剤；およびスタチン；からなる群より選択される１種以上である請求項２２に記載の方法。
【請求項３０】
該保護剤がナトリウム／水素交換インヒビターである請求項２９に記載の方法。
【請求項３１】
該ナトリウム／水素交換インヒビターがカリポリドまたはエニポリドである請求項３０に記載の方法。
【請求項３２】
カリポリドの投与量が１日１２０ｍｇ３回である請求項３１に記載の方法。
【請求項３３】
エニポリドの投与量が３ｍｇ／ｋｇである請求項３１に記載の方法。
【請求項３４】
心臓の虚血事象と診断された対象の心臓への傷害を予防する方法であって：
ａ）冠状動脈の内腔の障害物を取り除くこと；
ｂ）約５秒ないし約５分間、心臓を灌流すること；
ｃ）約５秒ないし約５分間、心臓の灌流を減少させること；
ｄ）処置ｂ）およびｃ）を約２回ないし約５０回連続的に繰り返すこと；
ｅ）心臓の灌流を中断させないこと；および
ｆ）１種以上の組織保護剤の有効量を医薬的に許容される担体とともに対象に投与し、それによって該対象の心臓に対する傷害を予防すること；
を特徴とする方法。
【請求項３５】
灌流の減少を、冠状動脈の内腔内でバルーンにより実施する請求項３４に記載の方法。
【請求項３６】
該バルーンが膨張可能であり、また縮小可能である請求項３５に記載の方法。
【請求項３７】
灌流の減少を、冠状動脈の外部からの圧迫により実施する請求項３４に記載の方法。
【請求項３８】
組織保護剤が、ナトリウム／水素交換（ＮＨＥ−１）インヒビター；抗炎症剤；抗酸化剤；プロテアーゼインヒビター；ナトリウムチャネル遮断剤；ＫＡＴＰチャネル調節剤；カルシウムチャネルアンタゴニストおよび調節剤；オピオイド；血栓調節剤；代謝増強剤；緩衝剤および調節剤；エンドセリン−１アンタゴニスト、インヒビターおよび調節剤；アポトーシスインヒビター；ミトコンドリア透過性転移穿孔インヒビター；シグナル伝達促進剤およびインヒビター；麻酔剤；およびスタチン；からなる群より選択される１種以上である請求項３４に記載の方法。
【請求項３９】
該保護剤がナトリウム／水素交換インヒビターである請求項３８に記載の方法。
【請求項４０】
該ナトリウム／水素交換インヒビターがカリポリドまたはエニポリドである請求項３９に記載の方法。
【請求項４１】
カリポリドの投与量が１日１２０ｍｇ３回である請求項４０に記載の方法。
【請求項４２】
エニポリドの投与量が３ｍｇ／ｋｇである請求項４０に記載の方法。
【発明の詳細な説明】
【技術分野】
【０００１】
本出願は２００４年１２月２２日に出願した米国仮出願番号６０／６３８，４６１に対する優先権を主張する。上記出願はその全文を参照により本明細書の一部とする。
【０００２】
本発明は虚血によって傷害を受けた臓器および組織の処置に関する。とりわけ、本発明は虚血事象を経た臓器および組織における再灌流傷害を予防することに関する。
【背景技術】
【０００３】
心臓病はアメリカ人労働者の早発性永久的障害の主要原因であり、社会保障制度障害支払いの略２０％を占める。約２０００万人のアメリカ人が心臓病の影響下に生活し、６００万を超える人々が毎年心臓発作を起こしている。毎年、初めての心臓発作を起こした患者の略５０％が、心筋梗塞のために死亡する。
【０００４】
心臓は正常かつ持続的な機能のために、恒常的な途切れることのない血液の供給を必要とする。患者が心臓発作を起こした場合、心臓部分への血流が停止し、虚血を起こす。心臓はその機能的能力を喪失し、心臓の虚血部分が死への危機状態となり、心臓組織の集中的壊死を起こす。心臓発作は経皮的経管的冠動脈形成術（ＰＴＣＡ）によるか、またはより侵襲的手法である冠動脈バイパス移植手術（ＣＡＢＧ）により処置することができる。どちらの手法も、遮断された血管（冠動脈）を押し開いて心臓筋肉への血液供給を復旧させることが可能であり、この方法を再灌流と呼称する。血栓溶解療法、ＰＴＣＡ、またはＣＡＢＧによる虚血心筋層の早い段階での再灌流の有益な効果が、現在、確立されているが、増大する研究数によると、再灌流は虚血性の心臓筋肉にさらに傷害をもたらすこと、例えば、心筋壊死の拡大、すなわち、梗塞サイズ拡張および収縮機能と代謝の損傷などを誘発する。再灌流傷害は急激に拡がるばかりでなく、心臓発作後、数日にわたって拡大し得る。
【０００５】
ポストコンディショニング（事後条件付け）は、全体が、または略全体がすでに虚血状態となっている臓器または組織に対する再灌流傷害を有意に減少させる処置方法であるが、その場合の灌流（血流）条件は、再灌流の開始に際し改変される。ポストコンディショニングは開始時点で適用される冠動脈の動脈再灌流における一連の短い反復性の断絶を特徴とする。再流のバーストと引き続く閉塞性断絶は、大型動物モデルにおける３０秒間隔から、小型のげっ歯類モデルにおける１０秒間隔までの範囲の秒単位で持続する［５０、５１］。ヒトでの予備的研究では、１分間隔の再灌流とそれに続く血流の断絶を、カテーテルによる経皮的冠状介入（ＰＣＩ）に際し、使用した［５２］。
【０００６】
この技術において必要とされるものは、全体が、または略全体が虚血となっている臓器または組織における再灌流傷害をさらに減少させるポストコンディショニングの有益な効果を増強する方法である。従って、本明細書にて提供される方法は、ポストコンディショニングの有益な効果を増強する方法であって、１種以上の組織保護剤の有効量をポストコンディショニングとの組み合わせで投与することからなる方法である。
【発明の開示】
【０００７】
本発明は、虚血事象後の臓器または組織への再灌流の前、その間、またはその後の、対象における臓器または組織に対する傷害を予防する方法であって：ａ）約５秒ないし約５分間、臓器の灌流を停止すること；ｂ）約５秒ないし約５分間、臓器の灌流を再開すること；ｃ）処置ａ）およびｂ）を約２回ないし約５０回連続的に繰り返すこと；ｄ）臓器または組織の灌流を中断させないこと；およびｅ）１種以上の組織保護剤の有効量を医薬的に許容される担体とともに対象に投与し、それによって該対象の臓器または組織に対する傷害を予防すること；を特徴とする方法を提供する。
【０００８】
また、心臓の虚血事象と診断された対象の心臓への傷害を予防する方法であって：
ａ）冠状動脈の内腔の障害物を取り除くこと；ｂ）約５秒ないし約５分間、心臓を灌流すること；ｃ）約５秒ないし約５分間、心臓の灌流を停止すること；ｄ）処置ｂ）およびｃ）を約２回ないし約５０回連続的に繰り返すこと；ｅ）心臓の灌流を中断させないこと；およびｆ）１種以上の組織保護剤の有効量を医薬的に許容される担体とともに対象に投与し、それによって該対象の心臓に対する傷害を予防すること；を特徴とする方法が提供される。
【０００９】
本発明は、虚血事象後の臓器または組織への再灌流の前、その間、またはその後の、対象における臓器または組織に対する傷害を予防する方法であって：ａ）約５秒ないし約５分間、臓器の灌流を減少させること；ｂ）約５秒ないし約５分間、臓器の灌流を再開すること；ｃ）処置ａ）およびｂ）を約２回ないし約５０回連続的に繰り返すこと；ｄ）臓器または組織の灌流を中断させないこと；およびｅ）１種以上の組織保護剤の有効量を医薬的に許容される担体とともに対象に投与し、それによって該対象の臓器または組織に対する傷害を予防すること；を特徴とする方法を提供する。
【００１０】
また、心臓の虚血事象と診断された対象の心臓への傷害を予防する方法であって：
ａ）冠状動脈の内腔の障害物を取り除くこと；
ｂ）約５秒ないし約５分間、心臓を灌流すること；
ｃ）約５秒ないし約５分間、心臓の灌流を減少させること；
ｄ）処置ｂ）およびｃ）を約２回ないし約５０回連続的に繰り返すこと；
ｅ）心臓の灌流を中断させないこと；および
ｆ）１種以上の組織保護剤の有効量を医薬的に許容される担体とともに対象に投与し、それによって該対象の心臓に対する傷害を予防すること；
を特徴とする方法が提供される。
【００１１】
図面の簡単な説明
図１は虚血（Ｉ）および再灌流（Ｒ）後の心筋層に対するポストコンディショニングにおける一つの可能な変動の影響を決定するために使用した実験プロトコールを示す。対照群（ｎ＝１０）；ポスト−コン（ｎ＝１０）；プレ−コン（ｎ＝９）；虚血プレコンディショニングは、左前下降冠状動脈（ＬＡＤ）閉塞の６０分前、５分間の冠状閉塞と、引き続く１０分間の再灌流により誘発した；また、ポストコンディショニングは、３時間の再灌流の前、それぞれ３サイクルの３０秒間の再灌流と、引き続く３０秒間の閉塞とした。ポスト−コンはポストコンディショニング；プレ−コンはプレコンディショニングである。
【００１２】
図２はプレコンディショニング染色に対比して、塩化トリフェニルテトラゾリウム（ＴＴＣ）により決定した虚血ポストコンディショニングによる心筋梗塞サイズの縮小を示す棒グラフである。左心室（ＬＶ）マスに比例するリスク（ＡＡＲ）の範囲（ＡＡＲ／ＬＶ）と壊死の範囲（ＡＮ）をＡＡＲのパーセント（ＡＮ／ＡＡＲ）として表した。虚血ポストコンディショニングは、対照群と比較してＡＮ／ＡＡＲを４８％有意に低下させ、従って、虚血プレコンディショニングに対し、心臓保護が等能力であることを示した。対照群に対し、＊Ｐ＜０.０５。値は群平均±Ｓ.Ｅ.Ｍ.である。
【００１３】
図３は虚血ポストコンディショニングによるＬＡＤ灌流心筋層における心筋浮腫の縮小を示す棒グラフである。正常：非虚血ゾーン；Ｉｓｃｈ−ｅｐｉ：虚血心外膜下；Ｉｓｃｈ−ｅｎｄｏ：虚血心内膜下。虚血ポストコンディショニングは、対照群と比較して組織含水量を有意に低下させた。正常ゾーンに対し、＊Ｐ＜０.０５。対照群に対し、†Ｐ＜０.０１。値は群平均±Ｓ.Ｅ.Ｍ.である。
【００１４】
図４は冠状閉塞と再灌流の過程での血漿クレアチン・キナーゼ（ＣＫ）活性を示すグラフである。血漿ＣＫ活性は、ベースラインと虚血後の２群間で同等であった。梗塞サイズの減少と矛盾なく、虚血ポストコンディショニングは対照群値に比例して、再灌流２時間目からＣＫ活性を有意に低下させた。値は平均±Ｓ.Ｅ.Ｍ.である。対照群に対し、＊Ｐ＜０.０５。ベースラインとＩｓｃｈ値に対し、＊Ｐ＜０.０１。対照群に対し、ｐ＜０.０５。
【００１５】
図５は、虚血−再灌流心筋層における局所性経壁心筋血流を示す線グラフである。ベースラインでの値および虚血の間の値は、２群間で同等であった。１５分間の再灌流に際しての充血が、虚血性プレ−およびポストコンディショニングにより有意に阻害された。値は平均±Ｓ.Ｅ.Ｍ.である。虚血に対し、＊Ｐ＜０.０５＝対照群に対し、†Ｐ＜０.０５。
【００１６】
図６は、非虚血左回旋冠状動脈（ＬＣＸ）冠状動脈輪および虚血−再灌流（ＬＡＤ）冠状動脈輪の虚血後−再灌流内皮機能を示す線グラフであり、臓器チェンバー中のアセチルコリンの増大する濃度への応答として評価したものである。再灌流時のアセチルコリンに対する応答は、非虚血性ＬＣＸ冠状動脈輪の応答に対して、有意に鈍かった。虚血ポストコンディショニングにおける応答は有意に上昇したが、このことはポストコンディショニングよるより良好な内皮機能と虚血−再灌流傷害の回避を示唆している。値は、イヌ５匹からの少なくとも１２の輪の平均±Ｓ.Ｅ.Ｍ.である。虚血ポスト−およびプレ−コンディショニングに対する対照群のＬＡＤ＊Ｐ＜０.０５。
【００１７】
図７は、血管平滑筋拡張剤ニトロプルシドに対する非虚血ＬＣＸ冠状輪の応答と、虚血−再灌流（ＬＡＤ）冠状輪の応答を示す線グラフである。群間の差はすべての群において検出されなかったが、このことは血管平滑筋の機能が正常であり、群間で同等であったことを示唆している。
【００１８】
図８は、プレコンディショニングに対し、虚血ポストコンディショニングによる冠状内皮への未刺激蛍光標識好中球の付着の阻害を示す棒グラフである。付着の程度は、冠状動脈内皮が受けた傷害の程度と相関し、一酸化窒素またはアデノシンの基礎的生成の喪失に関係する。ＬＣＸ：非虚血左回旋冠状動脈；ＬＡＤ：虚血／再灌流左前下降冠状動脈；Ｐｏｓｔ−ＬＡＤ：虚血ポストコンディショニング群のＬＡＤ；Ｐｒｅ−ＬＡＤ：虚血プレコンディショニング群のＬＡＤ。虚血プレコンディショニングによる保護と同様の強さで、虚血ポストコンディショニングは、対照群と比較して、冠状内皮への好中球付着を阻害した。値は群平均±Ｓ.Ｅ.Ｍ.である。ＬＣＸに対し、＊Ｐ＜０.０５；対照群におけるＬＡＤに対し、ＨＰ＜０.０１。
【００１９】
図９は、ＬＡＤ虚血および再灌流後の異なる実験群における非虚血（正常）ゾーンおよび虚血ゾーンでの好中球蓄積のマーカーとしての組織ミエロペルオキシダーゼ（デルタ吸光度Δ単位／分（abs／min.）でのＭＰＯ）活性を示す。上昇したＭＰＯ活性は、対照ＡＡＲにおける再灌流の終点で見られた。虚血ポストコンディショニングは対照群と比較して、ＭＰＯ活性を有意に低下させ、プレコンディショニング群と同等であった。棒グラフの高さは平均±ＳＥＭを表す。正常組織に対して、＊Ｐ＜０.０５；対照群に対してのポスト−コンおよびプレ−コン群、†Ｐ＜０.０５。
【００２０】
図１０は虚血−再灌流のラットモデルにおける研究プロトコールの説明図を示す。斜交平行線付きの棒グラフ＝ナトリウム−水素交換インヒビターのカリポリドを静脈内投与した時点。垂直平行線棒グラフ＝ポストコンディショニング・アルゴリズム。対照（ｎ＝８）；左冠状動脈（ＬＣＡ）を閉塞し、次いで３時間再灌流した（白色棒グラフ）。ポスト−コン（ｎ＝８）：１０秒間の完全再灌流（Ｒ、白色棒グラフ）および１０秒間の再閉塞虚血（Ｉ、暗色棒グラフ）を３サイクル繰り返した。ＮＨＥ（１）（ｎ＝８）；カリポリド（１ｍｇ／ｋｇ）を再灌流前５分に注射し、次いで、抑制のないＲとした。ＮＨＥ（１）＋ポスト−コン（ｎ＝８）；カリポリド、次いでポスト−コン。遅延（Ｄ）−ＮＨＥ（１）（ｎ＝８）：１分間の完全に抑制のない再灌流後の５分間にカリポリドを注射した。ポスト−コン＋Ｄ−ＮＨＥ（１）（ｎ＝８）；ポスト−コン、次いで５分間カリポリド注射。ポスト−コン＝ポストコンディショニング、ＮＨＥ（１）＝１ｍｇ／ｋｇカリポリド。
【００２１】
図１１は、左心室（ＬＶ）のパーセントで表したリスク範囲（ＡＡＲ）とＡＡＲのパーセントで表した壊死の範囲（ＡＮ）を示す。梗塞サイズはＡＮとＡＡＲのパーセントで表す。すべての群において、梗塞サイズは対照に比較し、縮小していた。ポスト−コン＋Ｄ−ＮＨＥ（１）群に観察される梗塞サイズの縮小は、ポストコンディショニング単独よりも有意に大きかった。対照に対し、＊ｐ＜０.０５、対照に対し、＃ｐ＜０.００１。ポスト−コン＝ポストコンディショニング。値は平均±ＳＥＭである。
【００２２】
発明の詳細な説明
留意すべき点は、本明細書および添付の請求項にて使用する場合、単数の不定冠詞、定冠詞は、その文脈が特に明瞭に指示しない限り、複数の指示対象をも包含することである。従って、例えば、「１薬剤」という場合はその薬剤の複数のコピーを含み、１種以上の特定の薬剤をも包含する。
【００２３】
経皮的経管的冠動脈形成術（ＰＴＣＡ）および／または冠状動脈バイパス移植手術（ＣＡＢＧ）と関連する虚血性心疾患の処置に適用する場合の、保護作用を提供することによる虚血／再灌流した心臓筋肉の障害を最少とする方法が、本明細書にて提供される。本方法（ポストコンディショニング）は、１種以上の組織保護剤の投与と組合わせて、他の臨床状況、例えば、提供者の臓器が一過性の虚血、腎臓血管形成術、および脳または脳周囲の血栓剥離を受けたことのある場合の臓器移植後の状況に適用することができる。さらに、ポストコンディショニングは薬理学的治療法と関連させて適用し得るし、あるいはポストコンディショニングに関係するメカニズムのメディエーターを利用する薬理学的治療法により擬似化することができる。本明細書にて使用する場合、「ポストコンディショニング再灌流」とは、以前に虚血の影響を受けたことのある臓器または組織について、灌流を停止または減少させ、次いで灌流を再開する繰り返しサイクルを適用することを意味する。本明細書にて使用する場合、「灌流」および「灌流する」とは、臓器または組織を通しての、またはそれら内での血流を意味する。本明細書にて使用する場合、「再灌流」とは臓器または組織への、またはその通過、または内部の血流が一時期中断した後に、臓器または組織への、またはその通過、または内部の血流が復元すること、または回復することを意味する。
【００２４】
本明細書にて使用する場合、「傷害」とは、例えば、浮腫（膨潤）、白血球による臓器または組織の機能喪失および／または浸潤、壊死および／またはアポトーシスなどにより証明されるような、臓器または組織の傷害または潜在的傷害または機能不全を意味する。傷害は、例えば、臓器または組織を構成する細胞の殆ど知覚できない程小さい腫脹であり得る。さらに、傷害は虚血期間（虚血事象）の間および／またはその後、または再灌流期間（再灌流傷害）後に生じる臓器または組織への損傷を含み得る。本明細書にて使用する場合、「傷害を受けた」または「標的の」臓器または組織とは、虚血または再灌流からのある種の潜在的な損傷を有したことのある、または有し得る臓器または組織である。「白血球」は好中球、リンパ球、単球、マクロファージ、好塩基球または好酸球であり得る。本明細書にて使用する場合、「虚血」とは臓器または組織への中断された血液供給を意味し、例えば、動脈の機械的な閉塞（すなわち、血栓症または塞栓）、動脈の外部からの圧迫、血管痙攣を原因とする動脈の狭窄、動脈から臓器への血流を医原的に遮断すること（例えば、一対象から外科的に取り出し、続いて別の対象に移植するべき臓器）、および／または低血圧（低血液圧力）などを原因とするものである。低血圧は心臓の不整脈、血管拡張と引き続く下肢での血液滞留を惹き起こす神経原性反射（例えば、血管迷走神経反射）、対象による不適切な体液取込、または外傷性創傷後の対象の失血を原因とする血液量減少症（すなわち、血管内液量の減少）などから生じ得る。
【００２５】
従って、「虚血性傷害」とは、臓器または組織への血流の中断（すなわち、虚血事象）から生じる臓器または組織に対する損傷または潜在的損傷を意味する。本明細書にて使用する場合、「再灌流傷害」とは虚血事象に際しての、またはその後の臓器または組織への血流の回復から生じる臓器または組織に対する損傷または潜在的損傷である。「虚血事象」とは臓器または組織への血液供給の中断である。本明細書にて使用する場合、「完全な」虚血事象とは、臓器または組織への血液供給の完全な中断である。本明細書にて使用する場合、「略完全な」虚血事象とは、臓器または組織への血液供給の不完全な中断である。虚血事象の対象となり得る、および／または虚血性傷害を受け得る臓器または組織の例は、限定されるものではないが、心臓、脳、眼、腎臓、腸、膵臓、肝臓、肺および骨格筋である。
【００２６】
さらに、臓器または組織移植の事例において、対象が供給者から臓器または組織を受容する場合、ここに開示した方法は、移植臓器が受容者に移植され、血管付加物が完全となった後に使用し得る。ポストコンディショニングにより処置し得る臓器の例は、限定されるものではないが、肺、肝臓、膵臓、心臓および腎臓である。
【００２７】
従って、提供される方法は、虚血事象後の臓器または組織への再灌流の間、またはその後の、対象における臓器または組織に対する傷害を予防する方法であって：ａ）約５秒ないし約５分間、臓器または組織の灌流を停止すること；ｂ）約５秒ないし約５分間、臓器または組織の灌流を再開すること；ｃ）処置ａ）およびｂ）を約２回ないし約５０回連続的に繰り返すこと；そしてｄ）臓器または組織の灌流の停止を終了すること、それによって該対象の虚血事象後の再灌流の間の、またはその後の対象の臓器または組織に対する傷害を予防すること；を特徴とする方法である。
【００２８】
また、本発明は虚血事象後の臓器または組織への再灌流の前、その間、またはその後の、対象における臓器または組織に対する傷害を予防する方法であって：ａ）約５秒ないし約５分間、臓器または組織の灌流を減少させること；ｂ）約５秒ないし約５分間、臓器または組織の灌流を再開すること；ｃ）処置ａ）およびｂ）を約２回ないし約５０回連続的に繰り返すこと；そしてｄ）臓器または組織の灌流の減少を終了すること、それによって該対象の虚血事象後の再灌流の間の、またはその後の対象の臓器または組織に対する傷害を予防すること；を特徴とする方法を提供する。本明細書にて使用する場合、「灌流を減少させる」とは、血液または他の液体での灌流量を減少させ、臓器または組織に対する傷害を予防することを意味する。例えば、予測される血流の約２０％、１５％、１０％または５％に灌流を減少させることが考えられる。また、単一の手法において灌流を停止および減少させることの組み合わせも考えられる。
【００２９】
本明細書にて使用する場合、対象は飼育動物、例えば、ネコ、イヌなど、家畜類（例：ウシ、ウマ、ブタ、ヒツジ、ヤギなど）、実験室動物（例：マウス、ウサギ、ラット、モルモットなど）および鳥類である。好ましくは、該対象は霊長類などの哺乳動物であり、より好ましくはヒトである。
【００３０】
本明細書にて提供されるように、再灌流を確立した後、虚血を受ける臓器または組織に対する傷害は、臓器または組織の灌流を繰り返し停止または減少させ、次いで臓器または組織の灌流を回復することにより、予防することができる。灌流の停止または減少および灌流の回復のサイクルは、約２回から約５０回繰り返すことができる。臓器または組織の灌流の停止または減少は、約５秒ないし約５分間持続させ、次いで、臓器または組織の灌流を回復させ、それを約５秒ないし約５分間持続させることができる。血流の停止時間は手法実施の間に増減することができる；すなわち、再灌流の第一サイクルは３０秒持続し、停止は３０秒であるが、続くサイクルは１０秒間の再灌流、次いで４０秒間の停止、次のサイクルは１０秒間の再灌流、次いで５０秒間の虚血である。あるいは、停止の時間はサイクルの進行につれて、短縮することができる。灌流の停止または減少および開始の最終サイクルの後、血流を衰えさせずに回復するか、またはある程度の制御下に置くことができる。例えば、最終の再灌流−停止のサイクルの後、血流をゆっくりと開始し、正常な血流に達するまで、次第に増加させることができる。当業者は技術上既知のアルゴリズムを用いて、血流が再開する速度を決定することができる。
【００３１】
当業者は、臓器または組織に血液を供給する血管の内腔に、血管内の血流を一時的に遮断するために使用し得る機械装置を導入することにより、臓器または組織の灌流を停止または減少させることができる。選択した時間経過後、臓器または組織の灌流を回復するために該装置の操作をすることができる。選択したサイクル数の灌流の停止または減少および臓器または組織の灌流の回復を実施した後、当業者は血管の内腔から装置を取り除き、再灌流（すなわち、臓器または組織への血流）を回復することができる。血管は動脈でも静脈でもよく、好ましくは動脈である。
【００３２】
ポストコンディショニング再灌流に使用し得る機械装置の一例は、傷害を受けた臓器または組織への血流を遮断するために、血管内腔内で膨らむことができ、障害を受けた臓器または組織に血流を回復させるたに、しぼむことの可能な医療用バルーンを装着したカテーテルである。カテーテル／バルーン装置は、対象の血管に、手術手技の際に、経皮的または直接に血管に導入し得る。カテーテル／バルーンを血管腔内に配置した後、当業者は周知の方法に従って、エックス線制御下に、それを特定の動脈に誘導することができる。
【００３３】
別の側面において、陥凹型カテーテルを対象の血管に導入し得る。カテーテル内腔の直径は、血液、液体または血液／液体組み合わせが標的とする臓器または組織へそれを経由して流れるように、十分な大きさのあるものである。該カテーテルは対象の外部にあるポンプに接続することができる。該ポンプは標的とする臓器または組織にカテーテルを通して、血液、晶質液または晶質液中の血液の組み合わせをポンプで送るために活動させ得るものであり、また標的とする臓器または組織への血流を停止または減少させるために止め得るものである。虚血傷害を受けたことのある臓器または組織の再灌流が確立された後、当業者は標的とする臓器または組織の灌流を停止または減少させるために、ポンプを止めることができる。選択した時間、例えば、約５秒ないし約５分間の経過後、当業者はポンプを活動させ、標的とする臓器の灌流を、約５秒ないし約５分間、開始することができる。ポンプは標的とする臓器または組織の灌流を約２サイクルないし約５０サイクル、停止または減少、および開始させるために使用し得る。カテーテル灌流技法によるポストコンディショニングが終了した後、カテーテルは対象から取り除くことができる。これはポンプを用いて心臓麻痺溶液または他の外科手術溶液を送達するポンプ使用の外科手術に際して、またはいずれかの臓器、すなわち、肝臓、肺、膵臓、または腎臓の移植に際しても適用し得る。
【００３４】
別の側面においては、再灌流が確立された後、医師は血管の外部からの圧迫により、虚血によって損傷した臓器または組織への血流を停止または減少させることができる。医師は、傷害を受けた臓器または組織への血管を通る血流を一時的に停止または減少させるために、手袋を着けた手、結紮糸、外部ポンプ、または外科手術器具、例えば、クランプまたは止血鉗子を使用することができる。血管を通る血流を、選択した時間停止または減少させた後、医師は手、結紮、外部ポンプ、または外科手術器具を血管から除き、それによって傷害を受けた臓器または組織への血流の中断を除去し得る。傷害を受けた臓器または組織の灌流を、選択したサイクル数、一時的に停止または減少させ、そして回復させた後、医師はさらに干渉することなく、臓器または組織への血流を回復させることができる。この処置の適用例はポンプなしの心臓外科手術であり、その場合、外科医はポストコンディショニングの形態としてのバイパス手術を受けた標的血管上の結紮をゆるめ、次いで締め付ける。これはポンプ使用の外科手術に際し、またはいずれかの臓器、すなわち、肝臓、肺、膵臓、または腎臓の移植に際しても適用し得る。
【００３５】
以前に虚血症に罹患した臓器または組織のポストコンディショニング再灌流の前、その間、またはその後に、医師は対象に、臓器または組織に対する傷害をさらに予防することの可能な医薬的に許容される担体中の組織保護剤の有効量を投与することができる。従って、本発明は、虚血事象後の臓器または組織への再灌流の前、その間、またはその後の、対象における臓器または組織に対する傷害を予防する方法であって：ａ）約５秒ないし約５分間、臓器の灌流を停止すること；ｂ）約５秒ないし約５分間、臓器の灌流を再開すること；ｃ）処置ａ）およびｂ）を約２回ないし約５０回連続的に繰り返すこと；ｄ）臓器または組織の灌流を中断させないこと；およびｅ）１種以上の組織保護剤の有効量を医薬的に許容される担体とともに対象に投与し、それによって該対象の臓器または組織に対する傷害を予防すること；を特徴とする方法が提供される。
【００３６】
さらに提供される方法は、虚血事象後の臓器または組織への再灌流の間またはその後の、対象における臓器または組織に対する傷害を防止する方法であって：ａ）約５秒ないし約５分間、臓器の灌流を減少させること；ｂ）約５秒ないし約５分間、臓器の灌流を再開すること；ｃ）処置ａ）およびｂ）を約２回ないし約５０回連続的に繰り返すこと；
ｄ）臓器または組織の灌流を中断させないこと；およびｅ）１種以上の組織保護剤の有効量を医薬的に許容される担体とともに対象に投与し、それによって該対象の臓器または組織に対する傷害を予防すること；を特徴とする方法が提供される。
【００３７】
また、本発明は、心臓の虚血事象と診断された対象の心臓への傷害を予防する方法であって：ａ）冠状動脈の内腔の障害物を取り除くこと；ｂ）約５秒ないし約５分間、心臓を灌流すること；ｃ）約５秒ないし約５分間、心臓の灌流を停止すること；ｄ）処置ｂ）およびｃ）を約２回ないし約５０回連続的に繰り返すこと；ｅ）心臓の灌流を中断させないこと；およびｆ）１種以上の組織保護剤の有効量を医薬的に許容される担体とともに対象に投与し、それによって該対象の心臓に対する傷害を予防すること；を特徴とする方法を提供する。
【００３８】
さらに本発明は、心臓の虚血事象と診断された対象の心臓への傷害を予防する方法であって：ａ）冠状動脈の内腔の障害物を取り除くこと；ｂ）約５秒ないし約５分間、心臓を灌流すること；ｃ）約５秒ないし約５分間、心臓の灌流を減少させること；ｄ）処置ｂ）およびｃ）を約２回ないし約５０回連続的に繰り返すこと；ｅ）心臓の灌流を中断させないこと；およびｆ）１種以上の組織保護剤の有効量を医薬的に許容される担体とともに対象に投与し、それによって該対象の心臓に対する傷害を予防すること；を特徴とする方法を提供する。
【００３９】
本明細書にて使用する場合、心臓の「虚血−再灌流事象」（心臓発作）とは、心臓の筋肉（心筋層）が必ず血流の回復（再灌流）を伴う血液供給の中断（虚血）を受けた場合に起こる事象である。虚血の間、筋肉は急速に機能を失い、そのエネルギー供給が枯渇し、炎症と目される変化を受ける。第二のより強力なまたは爆発的な傷害は、再灌流の開始時に起こり（すなわち、再灌流傷害）、炎症の増加、心臓領域における白血球細胞の活性化、組織の浮腫および腫脹、心臓発作に関係する領域での心臓筋肉を養う小血管への傷害、大量の心臓組織を巻き込む壊死（細胞死）の拡大、およびアポトーシスにより特徴づけられる。「心筋梗塞」とは心臓に対する虚血−再灌流傷害を意味し、心臓の心筋層部分が壊死またはアポトーシス（すなわち、プログラムされた細胞死）を受けている。従って、心臓発作に際しての心臓に対する傷害は、虚血と再灌流両者の間に起こる。
【００４０】
心臓発作の進展は、虚血と再灌流両方の間の傷害の動的な性質を反映している。従って、虚血により開始されるか、または虚血が引き金となった傷害は、再灌流の開始後にも続いており、そこでの細胞機能はさらに劣化し、実際に死に向かう細胞の量が再灌流とともに増大する。虚血傷害と再灌流との間には明瞭な関連性があり、そこでは虚血事象が再灌流傷害の舞台を設定する。虚血事象が重篤な程、引き続く再灌流傷害が重篤になる。それ故、この２つの事象はしばしば虚血−再灌流傷害といわれ、２つの別個ではあるが、互いに関連する事象間のこの親密な連環を反映している。仲介は虚血傷害の低下または再灌流傷害の低下を目的とし得る。
【００４１】
考慮されることは、心臓発作の兆候および症候を医療施設に提供する対象について、本明細書に教示した方法に従い処置すべきであること、適時に診断することができることである。もし対象の冠状動脈の血管造影試験に際し、冠状動脈が血栓、塞栓、コレステロールプラークまたは他の障害物により（部分的にまたは全体が）遮断されていると判断され、また遮断された動脈が経皮的経管的冠動脈形成術（ＰＴＣＡ）により開放し得ると判断されるならば、医師はバルーンカテーテルを経皮的に対象の大腿血管に挿入し、そのカテーテルを遮断された冠状動脈に誘導することができる。バルーンを冠状動脈の血流遮断部位またはその近辺に適切に位置させた後、医師はバルーンを操作し、および／または膨らませて、それによって血栓、塞栓、コレステロールプラークまたは他の障害物を血管壁に押し付け、内腔の障害物を取り除き、心筋層を再灌流する。
【００４２】
再灌流を確立した後に、傷害を受けた心筋層への傷害および／または引き続く傷害を予防するために、ポストコンディショニングを実施し得る。具体的には、医師がバルーンカテーテルを適所に配置し、そのバルーンを約５秒ないし約５分間、再び膨らませ、傷害を受けた心筋層の灌流を停止または減少させることができる。選択した時間、灌流を停止または減少させた後、医師はバルーンをしぼませ、約５秒ないし約５分間、心筋層の灌流を回復させることができる。冠状動脈の内腔内にてバルーンを膨張および縮小させるこのサイクルは、例えば、約２回ないし約５０回繰り返すことができる。最終回のバルーン縮小の後、医師はバルーンカテーテルを取り除く。
【００４３】
別の側面において、虚血事象との診断を受け、ＰＴＣＡを受けることのできない冠状動脈疾患を有すると判明した対象は、ＣＡＢＧ外科手術で処置することができる。手術手技遂行の間、および罹患した冠状動脈にバイパス処置して心筋層に血流を回復した後、外科医は移植した血管を手袋を着けた手、結紮糸、外部ポンプによるか、または手術器具、例えば、クランプもしくは止血鉗子により圧迫して、傷害を受けた心筋層の灌流を停止または減少させることにより、ポストコンディショニング再灌流を実施することができる。灌流の停止または減少は、約５秒ないし約５分間、維持することができる。選択した時間が経過した後、外科医は手、結紮、外部ポンプ、または手術器具を血管から除き、それによって移植片を通して傷害を受けた心筋層への血流を回復することができる。傷害を受けた心筋層灌流は、約５秒ないし約５分間、持続することができる。傷害を受けた心筋層の灌流を停止または減少させ、そして回復するサイクルは、約２回ないし約５０回繰り返すことができる。最終サイクルの終末点で、傷害を受けた心筋層の灌流を維持する。
【００４４】
当業者は１種以上の組織保護剤の有効量を含有してなる化合物を、ポストコンディショニングと組合わせて投与することによりＰＴＣＡおよびＣＡＢＧの効果を増強することができる。該化合物はポストコンディショニングの前に、その間に、またはその直後に投与することができる。選択肢として、該組織保護剤は、遮断された内腔の障害物を取り除く直前に投与することができる。本明細書にて使用する場合、「選択肢として」とは以下に記載する事象または状況が存在しても存在しなくてもよいことを意味し、またその記載は当該事象または状況が存在する場合の例およびそれが存在しない場合の例を包含することを意味する。
【００４５】
本明細書にて使用する場合、本発明の組織保護剤の「有効量」とは、所望の結果または当業者既知の結果を達成するために必要な量を意味する。ポストコンディショニング再灌流について所望の結果を有し得る臓器または組織の一例は心臓であり、その場合、梗塞サイズの減少、心筋浮腫の縮小、クレアチン・キナーゼ放出の減弱、早期再灌流中の充血の阻害、内皮依存性血管弛緩の増大、虚血／再灌流冠状内皮層への好中球付着の減少、増大した収縮機能、および虚血心筋層での好中球蓄積の減少などがモニター可能であり、達成し得る。従って、開示した方法に従って処置した心臓は、全体としてより良好な機能、例えば、増大した心臓の排出量、心不全重篤度の低下によりより小さくなった心臓サイズ、略消失した不整脈およびより安定した心拍数などを示し得る。さらに、対象は試行に良好な耐性を示し、引き続く心臓発作に良好に耐え得る。
【００４６】
「医薬的に許容される担体」とは、生物学的にまたはその他の理由で不適切とはならない物質を意味する；すなわち、該物質は実質的な有害な生物学的作用を惹き起こすことなく、または組成物のそこに含まれる他の成分のいずれとも有害な状況で相互作用することなしに、保護剤とともに個体に投与し得る。適当な担体とその製剤については文献（Remington: The Science and Practice of Pharmacy (19th ed.) ed. A.R. Gennaro, Mack Publishing Company, Easton, PA 1995）に記載されている。典型的には、適切な量の医薬的に許容される塩を製剤に用い、該製剤を等張とする。医薬的に許容される担体の例は、限定されるものではないが、食塩水、リンゲル溶液およびブドウ糖溶液である。該溶液のｐＨは約５ないし約８であり、例えば、約７ないし約７.５とすることができる。さらなる担体は持続性放出製剤、例えば、該薬剤を含有する固体の疎水性ポリマーの半透性マトリックスであり、該マトリックスは造形品の形状、例えば、フィルム、リポソームまたは微粒子の形状である。当業者にとって、ある種の担体が、例えば、投与経路および投与される組成物の濃度によっては、より好適であり得る。
【００４７】
医薬用担体は当業者既知である。これらの最も代表的なものは、ヒトに薬物を投与するための標準的担体であり、生理的ｐＨの無菌水、食塩水、および緩衝溶液である。該組成物は、静脈内、動脈内、筋肉内、皮下または腹腔内に投与し得る。他の化合物は当業者が使用する標準的手法に従って投与する。
【００４８】
医薬組成物は選択した分子に加えて、担体、粘稠化剤、賦形剤、緩衝剤、保存剤、界面活性剤などを含有し得る。また、医薬組成物は１種類以上の有効成分、例えば、抗微生物剤、抗炎症剤、麻酔剤などを含有し得る。
【００４９】
該組織保護剤を含有する医薬組成物は、局所処置が望ましいか、または全身処置が望ましいかによって、また処置すべき領域によって、多くの方法で投与することができる。投与は、経口、吸入、または非経口により、例えば、静脈内点滴、動脈内、皮下、腹腔内、筋肉内注射、または血管内注射／注入により実施し得る。経口投与用の組成物は、粉末または顆粒剤、水中もしくは非水媒体中の懸濁剤または溶液剤、カプセル剤、サシェ剤、または錠剤を包含する。粘稠化剤、芳香剤、賦形剤、懸濁化剤、分散剤または結合剤が望ましい。
【００５０】
一側面において、組織保護剤はカテーテルを介して、血管が傷害を受けた臓器または組織に入る部位近辺の血管内腔（静脈内注射／注入）に投与するか、または非経口的に、すなわち、静脈内または動脈内に投与し得る。
【００５１】
非経口投与用の製剤は、無菌の水性もしくは非水性溶液、懸濁液、およびエマルジョンなどである。非水溶媒の例は、プロピレングリコール、ポリエチレングリコール、植物油（例えば、オリーブ油）、および注射用有機エステル類（例えば、オレイン酸エチル）である。水性担体は、水、アルコール性／水性溶液、エマルジョンまたは懸濁液であり、食塩水および緩衝媒体を包含する。非経口用媒体は、塩化ナトリウム溶液、リンゲルブドウ糖液、ブドウ糖と塩化ナトリウムの溶液、乳酸加リンゲル液、または不揮発性油である。静脈用媒体は、体液栄養補給液、電解質補給液（リンゲルブドウ糖液に基づくものなど）などである。保存剤およびその他の添加物もまた存在し得る；例えば、抗微生物剤、抗酸化剤、キレート化剤、および不活性ガスなどである。
【００５２】
開示した方法で使用し得る組織保護剤の例は、限定されるものではないが、ホスホジエステラーゼ−５インヒビター、ｃＡＭＰまたはｃＧＭＰを増加させる薬剤、オピオイド、ＰＫＣ刺激因子（取分け、ＰＫＣイプシロン（ε））、ＰＡＲ２アゴニスト、ナトリウム／水素交換（ＮＨＥ−１）インヒビター；抗炎症剤；抗酸化剤、プロテアーゼインヒビター；ナトリウムチャネル遮断剤；ＫＡＴＰチャネル調節剤；カルシウムチャネルアンタゴニストおよび調節剤；血栓調節剤；代謝増強剤；緩衝剤および調節剤；エンドセリン−１アンタゴニスト、インヒビターおよび調節剤；アポトーシスインヒビター；ミトコンドリア透過性転移穿孔インヒビター；シグナル伝達促進剤およびインヒビター；麻酔剤；およびスタチン類である。
【００５３】
組織保護剤の投与量と経路は、使用する具体的薬剤に左右される。ポストコンディショニングと組合わせて投与し得る例示となる組織保護剤とそのそれぞれの用量のリストを、下記に開示する（表１）。当業者は開示された方法に従って、処置を必要とする対象に、１種以上の組織保護剤を含有してなる化合物を投与することができる。当業者は組織保護剤の適切な投与量と投与経路を承知しており、対象の年齢、体重、注射／注入の様式（筋肉内、血管内、局所、全身）、性別および全体症状に従い、本明細書に教示（参照例；Remington's Pharmaceutical Sciences, Martin, E.W. (ed.), latest edition.  Mack Publishing Co., Easton, PA）した常套の実験手技のみを用いて、その用量を変更し得る。例えば、抗凝固剤である静脈内ヘパリンの用量は、約１０単位から約１０,０００単位であり得る。
【００５４】
開示した方法で使用し得る組織保護剤のさらなる例は、医薬的に許容される担体中のナトリウム／水素交換（ＮＨＥ−１）インヒビターである。ＮＨＥ−１インヒビターの例はカリポリド（cariporide）であり、このものは０.１〜１５μＭの濃度の血管内用溶液として、または３ｍｇ／Ｋｇを静脈内ボーラスとして、または１日１２０ｍｇを３回、または１ｍｇ／ｋｇ〜１０ｍｇ／Ｋｇを投与し得る。ＮＨＥ−１インヒビターのもう一つの例は、エニポリド（eniporide）であり、このものは０.５〜１５μＭの濃度の血管内溶液として投与し得る。エニポリドは３ｍｇ／ｋｇで、冠状動脈閉塞（虚血）の前に、または再灌流開始の直前またはそれと同時に投与し得る。エニポリドは１回のボーラスとして投与するか、または３ｍｇ／ｋｇ／時間の注入剤として１〜３時間継続し得る。エニポリドは１０分間にわたる１〜２００ｍｇの静脈内注入剤として投与し得る。
【００５５】
以下の実施例は、本明細書の請求項に記載した組成物および／または方法が如何になされ、評価されるかについて、完全な開示と記載を当業者に提供しようとするものであり、純粋に本発明を例示しようとするものであって、本発明者らが本発明とみなすものの範囲を限定しようとするものではない。数値（例えば、量、温度など）に関しては、正確を期すよう努力したが、いくらかの誤差および偏差も見込むべきである。本発明はより特定して以下の実施例に記載するが、その中の数値的な改変および変更は当業者に明らかであることから、これらは説明のみを意図するものである。
【実施例】
【００５６】
実施例１
ポストコンディショニングの概念は、局所的な心筋梗塞および再灌流の開胸したイヌモデルにて試験した。動物はすべて無作為に以下の３つの群の一つに割り振った（図１）：対照：左前下降冠状動脈（ＬＡＤ）を逆に６０分間閉塞し、次いで、虚血心筋層を３時間再灌流した；２）虚血ポストコンディショニング（ポスト−コン）：６０分のＬＡＤ閉塞の後、虚血心筋層を最初３サイクルの繰り返し適用した再灌流と、引き続く冠状動脈の再閉塞を用いて再灌流した；すなわち、３０秒の再灌流と、続く３０秒の閉塞を、連続３サイクル繰り返した；３）虚血プレコンディショニング（プレ−コン）（事前条件付け）：６０分間の心筋虚血の前に、５分間のＬＡＤ閉塞および１０分間の再灌流を実施した。
【００５７】
図１〜９は虚血／再灌流心臓に対するポストコンディショニングの有益な効果を示す。これらの効果は死後の生体染色（塩化トリフェニルテトラゾリウム）により［６］測定した梗塞サイズの縮小であり、動脈血血漿から分光光度法により測定したクレアチン・キナーゼの放出減少により確認された［６］。クレアチン・キナーゼは、細胞に対して重篤な致死的傷害のあるときにのみ、その細胞から漏れ出る細胞内巨大分子である。
【００５８】
さらに、ポストコンディショニングは、組織乾燥により測定した場合、以前に虚血性であった心筋層の心筋浮腫減少と関連性がある。組織浮腫（水分増加）は微小血管系が著しく傷害を受け、血液流液を血管スペースに保持し得ないときに発生する。心筋層に漏出した流液は、これらの傷害を受けた毛細管を取り囲み、圧迫して、さらに心筋への血流を減少させる。この血管傷害は心筋層への不可逆的な傷害（例えば、壊死）と関連していた。
【００５９】
また、ポストコンディショニングは、標的の冠状動脈周囲に配置した電子血流プローブにより測定した場合、初期再灌流に際して虚血後の充血を阻害するが、このことはこれら短時間の断続的灌流の間にも、心筋エネルギーの要求を満足する十分な酸素の送達が存在することを示唆している。
【００６０】
ポストコンディショニングは、インビトロの技法で測定した場合、アセチルコリンに対する有意により大きな内皮依存性血管弛緩応答と関連する。アセチルコリンは血管弛緩剤酸化窒素の内皮細胞特異的刺激剤である［７］。冠状動脈、細動脈および細静脈の内皮細胞は、細灌流傷害に異常なほど敏感であり、再灌流の最初のわずかな瞬間に閉塞を受け、その閉塞が再灌流開始後、数時間持続する。血管内皮のサルベージは、健常内皮細胞が血流調節の異常性を予防し、局在化した血管の炎症性応答を予防し、それによって以前の虚血地帯への好中球移動の引き金を引くことの予防、および動脈内血液塊形成の予防となるので、重要である。再灌流血管における血液凝集塊は第二の虚血を惹き起こし、最終的に心臓組織の死に導き得る。虚血／再灌流冠状内皮への好中球付着の減少は、蛍光顕微鏡測定した場合、ポストコンディショニングによる虚血後の内皮機能の改善を示すものでもある。
【００６１】
さらに、ポストコンディショニングは、再灌流後の内皮からの組織サンプルをミエロペルオキシダーゼ（ＭＰＯ）アッセイして測定した場合、虚血心筋層での好中球蓄積を減弱した。このことは、梗塞、収縮機能不全およびアポトーシスの病因と関連する虚血／再灌流への炎症性応答を、ポストコンディショニングが低下させたことを示唆する。
【００６２】
実施例２
ポストコンディショニングは、アデノシンおよびオピオイドなどの近接メディエーターの保護作用を獲得する薬理学的手段により増強することができる。心筋梗塞のラットモデルでは、初期再灌流に際し、ナトリウム−水素交換（ＮＨＥ−１）インヒビターの存在下に、ポストコンディショニングを適用することによる再灌流傷害を減弱する二相性法が、いずれの介在のみよりも、より大きな梗塞サイズ低減を達成すると示すことができる［４８］。具体的には、麻酔したラットモデルにおいて、左冠状動脈（ＬＣＡ）を３０分間閉塞して虚血（Ｉ）とし、３時間再灌流した。ラットは無作為に６群（それぞれｎ＝８）に分けた（図１０）：対照：再灌流時の介入なし；ポストコンディショニング：１０秒の再灌流と、引き続く１０秒の閉塞との３サイクルを再灌流の最初の１分間に適用した；ＮＨＥ（１）：カリポリド（１ｍｇ／ｋｇ）はポストコンディショニングとともに、または行わずに、再灌流の５分前に注入した；遅延（Ｄ）−ＮＨＥ（１）：ポストコンディショニング時間と等価の再灌流開始の１分後に、５分間のカリポリド注入を始めた；ポスト−コン＋Ｄ−ＮＨＥ（１）：ポストコンディショニング完了に続き、直ちに５分間カリポリドを注入した。ポストコンディショニングによる梗塞サイズの縮小は、ＮＨＥ（１）インヒビターのみで観察されたものに匹敵した（それぞれ４２±２対４３±２％）（図１１）。ＮＨＥ（１）が再灌流介入としてのポストコンディショニングに先行する場合、梗塞サイズはいずれの介入のみに比較しても、さらに縮小することはなかった（４５±２％＊）。しかし、ポストコンディショニングが再灌流時にＮＨＥ（１）インヒビターに先行したときは、梗塞サイズのさらなる縮小が達成された（ポスト−コン＋Ｄ−ＮＨＥ（１）、３４±２％）。このように、ポストコンディショニングによる梗塞サイズの縮小は、ポストコンディショニングがカリポリドの投与に先行するとき、再灌流時のＮＨＥ阻害により増強される。
【００６３】
実施例３
アデノシンはポストコンディショニングの心臓保護のメディエーターである。摘出した灌流マウス心臓を、ポスト−コン（１０秒のＲおよび閉塞を６サイクル）ありとなしで、２０分の全体虚血（Ｉ）と３０分の再灌流に付した。冠状流出液中の血管内プリンをＨＰＬＣにより分析した。内在性のアデノシンがポストコンディショニングにおいて生理的役割を演じているのかどうかを判定するために、麻酔胸部切開ラットの左冠状動脈（ＬＣＡ）を３０分間閉塞し、３時間再灌流した。ラットは無作為に６群（それぞれｎ＝８）に分けた：対照（介入なし）；ポストコンディショニング（３時間のＲの前に、１０秒間のＲと、引き続く１０秒間のＬＣＡ Ｉとの３サイクル）；８−ＳＰＴ（サブタイプ非選択的アデノシン受容体アンタゴニスト、１０ｍｇ／ｋｇ）、またはＺＷ２４１３８５（Ａ２ａ受容体アンタゴニスト、０.２ｍｇ／ｋｇ）を、ポストコンディショニングとともに、またはなしに、Ｒの５分前に投与した。
【００６４】
マウスの心臓では、ポストコンディショニングが２分間のＲで流出［アデノシン］を低下させ（５８±５＊対１５５±１６ｎＭ／分／ｇ）、３０分のＲで持続した５分間のＲで収縮機能（ＬＶ発生圧３２±７＊対１６±２ｍｍＨｇ）および拡張期終末血圧（２７±３＊対３６±３ｍｍＨｇ）を改善した。インビボラットでは、ポストコンディショニングが対照群に対比して、梗塞サイズ（ＴＴＣ）を縮小させた（４０±３.１％＊対５２±２.２％）。ポストコンディショニングなしの８−ＳＰＴ（５１±２.５％）またはＺＭ２４１３８５のみ（５０±２.１％）では、梗塞サイズに影響がなかった。ポストコンディショニングの梗塞回避作用は８−ＳＰＴおよびＺＭ２４１３８５（５０±１.８％および４９±２.６％）によって排除された。危険領域での好中球（ＰＭＮ）蓄積（ミエロペルオキシダーゼ活性）は、対照に対比してポストコンディショニングで少なかった（１.０±０.２＊対２.２±０.４Ｕ／１００ｇタンパク質）；アデノシン受容体アンタゴニストはポストコンディショニングにおけるＰＭＮ蓄積の減少を阻止した（ポストコンディショニング＋８−ＳＰＴ２.１±０.２；ポストコンディショニング＋ＺＭ２４１３８５ １.６±０.２）。
【００６５】
ポストコンディショニングは、初期Ｒでの内在性アデノシンの保持時間と血管内含量を増大させ、Ａ２ａ受容体仲介メカニズムにより梗塞サイズを縮小することができる。対照に対して＊ｐ＜０.０５。
【００６６】
実施例４
ウサギの心筋梗塞モデルにおいては、２０秒間（１０秒ではない）のポストコンディショニング虚血が、対照（４１±２％）と比較して、梗塞サイズを縮小した（左心室危険領域のそれぞれ２０±３％および３４±３％）。１.０（０.５ではない）最小肺胞濃度のイソフルラン（isoflurane）と接触させると、梗塞サイズが低下した（それぞれ２１±２％および４３±３％）。しかし、ポストコンディショニング（１０秒）および０.５最小肺胞濃度のイソフルランの組合わせは、梗塞サイズを顕著に低下させた（１７±５％）［４９］。
【００６７】
０.５ＭＡＣイソフルラン（心臓保護作用のみを生じない本薬剤の濃度）を投与すると、ポストコンディショニングを生じるために必要な短い虚血刺激の時間閾値を低下させる；あるいは換言すると、ポストコンディショニング保護を増強する。従って、薬理学的ポストコンディショニングは再流の初期の瞬間に成功裏に適用し得る。
【００６８】
実施例５
血管形成術およびステントの配置により急性の心筋梗塞に進展したために、経皮的冠状介入を受けている患者３０名を、無作為に、それ以上の介入を受けない対照群、または血管形成術−ステント手法により再灌流を回復させた直後に、血管形成術バルーンを１分間しぼませ、次いで１分間再膨張させること、これを４間隔で繰り返したポストコンディショニング群に分けた。ポストコンディショニング群に不都合な事象はなかった。ポストコンディショニングは、院内で７２時間のクレアチン・キナーゼ曲線の下の面積により評価すると、対照群に比較して有意に梗塞サイズを縮小した（２０８,９８４±２６,５７６対３２６,０９５±４８７７９任意活性単位、ｐ＜０.０５）。また、ポストコンディショニングは濃染等級により評価した場合、達成された再灌流の程度を上昇させた（２.４４±０.１７＊対１.９５±０.２７、ｐ＜０.０５）。従って、心臓病学カテーテル挿入研究室における経皮的冠状介入の設定において、ポストコンディショニングは安全かつ有効であった［５２］。
【００６９】
本出願全般にわたり、さまざまな出版物が参照される。これら出版物の開示はその全体を参照により本出願の一部とし、本出願が関連する技術の状態をより完全に記述する目的とする。開示された文献は、個々に、また特定して、該文献が依拠する文章中に考察され、そこに含まれる物質として、参照により本明細書の一部とする。
【００７０】
文献
(1) Murry CE, Jennings RB, Reimer KA. Editorial Comment:  New insights into potential mechanisms of ischemic preconditioning（虚血プレコンディショニングの有力なメカニズムの新しい洞察）. Circulation 1991; 84:443-445.
(2) Murry CE, Jennings RB, Reimer KA. Preconditioning with ischemia: a delay of lethal cell injury in ischemic myocardium（虚血によるプレコンディショニング；虚血心筋層における致死性細胞傷害の遅延）. Circulation 1986; 74:1124-1136.
(3) Murry CE, Richard VJ, Reimer KA, Jennings RB. Ischemic preconditioning slows energy metabolism and delays ultrastructural damage during sustained ischemic episode（虚血プレコンディショニングはエネルギー代謝を減速し、持続する虚血エピソードによる超微細構造損傷を遅延する）. Circ Res 1990; 66:913-931.
(4) Reimer KA, Murry CE, Yamasawa I, Hill ML , Jennings RB. Four brief periods of myocardial ischemia cause no cumulative ATP loss or necrosis（４回の短時間心筋梗塞は蓄積ＡＴＰ喪失も壊死も惹き起こさない）. Am J Physiol 1986; 251:H1306-H1315.
(5) Downey JM. Ischemia preconditioning.  Nature's own cardioprotective intervention（虚血プレコンディショニング。自然自体の心臓保護介入）. Trends Cardiovasc Med 1992; 2:170-176.
(6) Zhao Z-Q, Nakamura M., Wang N-P, Velez DA, Hewan-Lowe K.O, Guyton RA, Vinten-Johansen J. Dynamic progression of contractile and endothelial dysfunction and infarct extension in the late phase of reperfusion（再灌流後期の収縮と内皮機能不全の動的進行および梗塞拡大）. J Surg Res 2000; 94: 133-144.
(7) Lefer AM, Ma X-L, Weyrich A, Lefer DJ. Endothelial dysfunction and neutrophil adherence as critical events in the development of reperfusion injury（再灌流傷害の発生における決定的事象としての内皮機能不全および好中球付着）. Agents Actions Suppl 1993; 41: 127-135.
(8) Davenpeck KL, Gauthier TW, Lefer AM. Inhibition of endothelial-derived nitric oxide promotes P- selectin expression and actions in the rat microcirculation [see comments]（内皮由来酸化窒素の阻害はラットの微小循環においてＰ−セレクチンの発現と作用を促進する［コメント参照］）. Gastroenterology 1994; 107:1050-1058.
(9) Duilio C, Ambrosio G, Kuppusamy P, DiPaula A, Becker LC, Zweier JL. Neutrophils are primary source of 02 radicals during reperfusion after prolonged myocardial ischemia（好中球は長時間の心筋虚血後再循環に際しての主要なＯ２ラジカル起源である）. Am J Physiol (Heart Circ Physiol) 2001; 280(6):H2649-H2657.
(10) Hoshida S, Yamashita N, Igarashi J, Nishida M, Hori M, Kamada T et al. Nitric oxide synthase protects the heart against ischemia- reperfusion injury in rabbits（ウサギにおいて、酸化窒素シンターゼは虚血−再灌流傷害に対して心臓を保護する）. J Pharmacol Exp Ther 1995; 274:413-418.
(11) Buus NH, Bottcher M, Hermansen F, Sander M, Nielsen TT, Mulvany MJ. Influence of nitric oxide synthase and adrenergic inhibition on adenosine-induced myocardial hyperemia（アデノシン−誘発充血に対する酸化窒素シンターゼとアドレナリン阻害の影響）. Circulation 2001; 104(19):2305-2310.
(12) Barta E, Pechan I, Cornak V, Luknarova O, Rendekova V, Verchovodko P. Protective effect of alpha-tocopherol and L-ascorbic acid against the ischemic-reperfusion injury in patients during open- heart surgery（開放心臓手術に際しての患者の虚血−再灌流傷害に対するアルファ−トコフェロールとＬ−アスコルビン酸の保護作用）. Bratisl Lek Listy 1991; 92:174183.
(13) Ooiwa H, Janero DR, Stanley AWH, Downey JM. Examination of 2 Small-Molecule Antiperoxidative Agents in A Rabbit Model of Postischemic Myocardial-Infarction（虚血後心筋梗塞のウサギモデルにおける２種の小分子抗過酸化剤の試験）. J Cardiovasc Pharmacol 1991; 17(5):761-767.
(14) Axford-Gately RA, Wilson GJ. Myocardial infarct size reduction by single high dose or repeated low dose vitamin E supplementation in rabbits [see comments]（ウサギにおける単回高用量または繰り返し低用量ビタミンＥ補給による心筋梗塞サイズの縮小［コメント参照］）. Can J Cardiol 1993; 9:94-98.
【００７１】
(15) Euler DE. Role of oxygen-derived free radicals in canine reperfusion arrhythmias（イヌの再灌流不整脈における酸素由来フリーラジカルの役割）. Am J Physiol 1995; 268:H295-300.
(16) Ambrosio G, Zweier JL, Jacobus WE, Weisfeldt ML, Flaherty JT. Improvement of postischemic myocardial function and metabolism induced by administration of deferoxamine at the time of reflow: the role of iron in the pathogenesis of reperfusion injury（再流時デフェロキサミン投与により誘発される虚血後心筋機能と代謝の改善；再灌流傷害の病因における鉄の役割）. Circulation 1987; 76(4):906-915.
(17) Katoh S, Toyama J, Kodama I, Kamiya K, Akita T, Abe T. Deferoxamine reduces the reperfusion injury in isolated neonatal rabbit hearts after hypothermic preservation（デフェロキサミンは低体温保存後の摘出新生児ウサギ心臓の再灌流障害を低減する）. Surg Today 1993; 23:424-429.
(18) Gumina RJ, Mizumura T, Beier N, Schelling P, Schultz JJ, Gross GJ. A new sodium/hydrogen exchange inhibitor, EMD 85131, limits infarct size in dogs when administered before or after coronary artery occlusion（新規ナトリウム／水素交換インヒビターＥＭＤ８５１３１は、イヌにおいて冠状動脈閉塞の前または後で投与した場合、梗塞サイズを制限する）. J Pharmacol Exp Ther 1998; 286(1):175-183.
(19) Karmazyn M. Pharmacology and clinical assessment of cariporide for the treatment coronary artery diseases（冠状動脈疾患処置のためのカリポリドの薬理学と臨床評価）. Expert Opinion on Investigational Drugs 2000; 9(5):1099-1108.
(20) Miura T, Liu Y, Goto M, Tsuchida A, Miki T, Nakano A et al. Mitochondrial ATP-sensitive K+ channels play a role in cardioprotection by Na+-H+ exchange inhibition against ischemia/reperfusion injury（ミトコンドリアのＡＴＰ−感受性Ｋ＋チャネルは、虚血／再灌流傷害に対しＮａ＋−Ｈ＋交換阻害により心臓保護の役割を演じる）. J Am Coll Cardiol 2001; 37(3):957-963.
(21) Linz W, Albus U, Crause P, Jung W, Weichert A, Scholkens BA et al. Dose-dependent reduction of myocardial infarct mass in rabbits by the NHE-1 inhibitor cariporide (HOE 642)（ＮＨＥ−１インヒビター・カリプロリド（HOE 642）によるウサギでの心筋梗塞塊の用量依存性縮小）. Clin Exp Hypertens 1998; 20(7):733-749.
(22) Zeymer U, Suryapranata H, Monassier JP, Opolski G, Davies J, Rasmanis G et al. The Na+/H+ exchange inhibitor eniporide as an adjunct to early reperfusion therapy for acute myocardial infarction - Results of the evaluation of the safety and cardioprotective effects of eniporide in acute myocardial infarction (ESCAMI) trial（急性心筋梗塞の初期再灌流療法に対する補助薬としてのＮａ＋／Ｈ＋交換インヒビター・エニポリド−急性心筋梗塞（ESCAMI）治験におけるエニポリドの安全性と心臓保護作用の評価結果）. J Am Coll Cardiol 2001; 38(6):1644-1650.
(23) Kato K. Haemodynamic and clinical effects of an intravenous potassium channel opener - a review（静脈内カリウムチャネルオープナーの血行動態と臨床効果）. Eur Heart J 1993; 14:40-47.
(24) Auchampach JA, Gross GJ. Reduction in myocardial infarct size by the new potassium channel opener bimakalim（新規カリウムチャネルオープナー・ビマカリムによる心筋梗塞サイズの縮小）. J Cardiovasc Pharmacol 1994; 23:554-561.
(25) Auchampach JA, Maruyama M, Cavero I, Gross GJ. Pharmacological evidence for a role of ATP-dependent potassium channels in myocardial stunning（心筋虚血活動停止状態におけるＡＴＰ−依存性カリウムチャネルの役割についての薬理学的証明）. Circulation 1992; 86:311-319.
(26) Mizumura T, Nithipatikom K, Gross GJ, Occlusions. Bimakalim, an ATP-sensitive potassium channel opener, mimics the effects of ischemic preconditioning to reduce infarct size, adenosine release, and neutrophil function in dogs（ＡＴＰ−感受性カリウムチャネルオープナーは、イヌにおいて虚血プレコンディショニング作用に類似して、梗塞サイズ、アデノシン放出、および好中球機能を低下させる）. Circulation 1995; 92:1236-1245.
(27) Gross GJ, Auchampach JA, Maruyama M, Warltier DC, Pieper GM. Cardioprotective effects of nicorandil（ニコラジルの心臓保護作用）. J Cardiovasc Pharmacol 1992; 20 Suppl 3:S22-S28.
(28) Agnelli G, Pascucci C, Cosmi B, Nenci GG. Affects of hirudin and heparin on the binding of new fibrin to the thrombus in t-PA treated rabbits（ｔ−ＰＡ処置ウサギにおける血栓への新フィブリン結合に対するヒルジンとヘパリンの影響）. Thromb Haemost 1991; 66:592-597.
(29) Lam TT, Fu J, Hrynewycz M, Tso MOM. The Effect of Aurintricarboxylic Acid, an Endonuclease Inhibitor, on Ischemia/Reperfusion Damage in Rat Retina（ラット網膜における虚血／再灌流損傷に対するエンドヌクレアーゼインヒビター、オーリントリカルボン酸の作用）. J Ocular Pharmacology & Therapeutics 1995; 11(3):253-259.
【００７２】
(30) Rosenbaum DM, D'Amore J, Llena J, Rybak S, Balkany A, Kessler JA. Pretreatment with intraventricular aurintricarboxylic acid decreases infarct size by inhibiting apoptosis following transient global ischemia in gerbils（心室内オーリントリカルボン酸による前処理は、アレチネズミにおいて一過性の全体虚血に続くアポトーシスを阻害することにより梗塞サイズを低下させる）. Ann Neurol 1998; 43(5):654-660.
(31) Zhao Z-Q, Morris CD, Budde JM, Wang N-P, Muraki S, Guyton RA et al. Inhibition of apoptosis with aurintricarboxylic acid reduces extension of infarction and improves regional contractile dysfunction during reperfusion（オーリントリカルボン酸によるアポトーシスの阻害は梗塞の拡大を縮小し、再灌流にさいしての局所性収縮機能不全を改善する）. Circulation (suppl 1)[104], II-11. 2001 (Abstract).
(32) Balakirev MY, Zimmer G. Gradual changes in permeability of inner mitochondrial membrane precede the mitochondrial permeability transition（内部ミトコンドリア膜の透過性の漸次変化はミトコンドリア透過性転移に先行する）. Arch Biochem Biophys 1998; 356(1):46-54.
(33) Griffiths EJ, Halestrap AP. Protection by Cyclosporin A of ischemia/reperfusion-induced damage in isolated rat hearts（摘出ラット心臓における虚血／再灌流誘発損傷のシクロスポリンＡによる保護）. J Mol Cell Cardiol 1993; 25:1461-1469.
(34) Hausenloy DJ, Maddock HL, Baxter GF, Yellon DM. Inhibiting mitochondrial permeability transition pore opening: a new paradigm for myocardial preconditioning?（ミトコンドリア透過性転移開孔の阻害：心筋プレコンディショニングについての新しいパラダイム？） Cardiovasc Res 2002; 55(3):534-543.
(35) Baines CP, Wang L, Cohen MV, Downey JM. Protein tyrosine kinase is downstream of protein kinase C for ischemic preconditioning's anti-infarct effect in the rabbit heart（ウサギ心臓において、タンパク質チロシンキナーゼは虚血プレコンディショニングの抗梗塞作用のためにタンパク質キナーゼＣの下流にある）. J Mol Cell Cardiol 1998; 30(2):383-392.
(36) Auchampach JA and Gross GJ. Anti-ischaemic actions of potassium channel openers in experimental myocardial ischaemia/reperfusion injury in dogs（イヌにての実験的心筋虚血／再灌流傷害におけるカリウムチャネルオープナーの抗虚血作用）. Eur Heart J 14: 10-15, 1993.
(37) Axford-Gately RA and Wilson GJ. Myocardial infarct size reduction by single high dose or repeated low dose vitamin E supplementation in rabbits [see comments]（ウサギにおける単回高用量または繰り返し低用量ビタミンＥ補給による心筋梗塞サイズの縮小［コメント参照］）. Can J Cardiol 9: 94-98, 1993.
(38)         Chen HM, Chen MF and Shyr MH. Prostacyclin analogue (OP-2507) attenuates hepatic microcirculatory derangement, energy depletion, and lipid peroxidation in a rat model of reperfusion injury（プロスタサイクリン類似体（OP-2507）はラットの再灌流傷害モデルにおいて、肝臓微小循環障害、エネルギー欠乏、および脂質過酸化を減弱する）. J Surg Res 80: 333-338, 1998.
(39) Gross GJ, Yao Z, Pieper GM and Auchampach JA. The ATP-regulated potassium channel in ischemia-reperfusion injury（虚血−再灌流傷害におけるＡＴＰ−調節カリウムチャネル）. Ann N Y Acad Sci 723: 71-81, 1994.
(40) Grover GJ, Dzwonczyk S, Parham CS and Sleph PG. The protective effects of cromakalim and pinacidil on reperfusion function and infarct size in isolated perfused rat hearts and anesthetized dogs（摘出灌流ラット心臓および麻酔したイヌにおけるクロマカリムおよびピナシジルの再灌流機能および梗塞サイズに対する保護作用）. Cardiovasc Drugs Ther 4: 465-474, 1990.
(41) Jackson WF, Koenig A, Dambacher T and Busse R. Prostacyclin-induced vasodilation in rabbit heart is mediated by ATP-sensitive potassium channels（ウサギ心臓におけるプロスタサイクリン誘発血管拡張はＡＴＰ−感受性カリウムチャネルにより仲介される）. Am J Physiol 264: H238-H243, 1993.
(42) Kodani E, Bolli R, Tang XL and Auchampach JA. Protection of IB-MECA against myocardial stunning in conscious rabbits is not mediated by the A1 adenosine receptor（覚醒ウサギにおける心筋虚血活動停止状態に対するＩＢ−ＭＥＣＡの保護はＡ１アデノシン受容体により仲介されるものではない）. Basic Res Cardiol 96: 487-496, 2001.
(43) Neely CF, DiPierro FV, Kong M, Greelish JP and Gardner TJ. A1 adenosine receptor antagonists block ischemia-reperfusion injury of the heart（Ａ１アデノシン受容体アンタゴニストは心臓の虚血−再灌流傷害を遮断する）. Circulation 94: II376-II380, 1996.
(44) Neely CF and Keith IM. A1 adenosine receptor antagonists block ischemia-reperfusion injury of the lung（Ａ１アデノシン受容体アンタゴニストは肺の虚血−再灌流傷害を遮断する）. American Journal of Physiology - Lung Cellular & Molecular Physiology 268: L1036-L1046, 1995.
【００７３】
(45) Ockaili R, Salloum F, Hawkins J and Kukreja RC. Sildenafil (Viagra) induces powerful cardioprotective effect via opening of mitochondrial KATP channels in rabbits（シルデナフィル（バイアグラ）はウサギにおいて、ミトコンドリアＫＡＴＰチャネルの開口を経て強力な心臓保護作用を誘導する）. Am J Physiol (Heart Circ Physiol) 283: H1263-H1269, 2002.
(46) Schultz JE and Gross GJ. Opioids and cardioprotection（オピオイドと心臓保護）. Pharmacol Ther 89: 123-137, 2001.
(47) Thourani VH, Brar SS, Kennedy TP, Thornton LR, Watts JA, Ronson RS, Zhao Z-Q, Sturrock AL, Hoidal JR and Vinten-Johansen J. Nonanticoagulant heparin inhibits NF-kB activation and attenuates myocardial reperfusion injury（非抗凝固剤ヘパリンはＮＦ−ＫＢ活性を阻害し、心筋再灌流傷害を減弱する）. Am J Physiol 48: H2084-H2093, 2000.
(48)  Kin H, Zhao Z-Q, Wang N-P, Halkos ME, Kerendi F, Guyton RA et al.  Pharmacological enhancement of post-conditioning (PEP-C) increases myocardial salvage after acute myocardial infarction（ポストコンディショニングの薬理学的増強（ＰＥＰ−Ｃ）は急性心筋梗塞後の心筋サルベージを増強する）. Circulation 2005;112 (Suppl II):II-309 (abstract).
(49)  Chiari PC, Bienengraeber MW, Pagel PS, Krolikowski JG, Kersten JR, Warltier DC. Isoflurane protects against myocardial infarction during early reperfusion by activation of phosphatidylinositol-3-kinase signal transduction: evidence for anesthetic-induced postconditioning in rabbits（イソフルランはホスファチジルイノシトール−３−キナーゼシグナル伝達の活性化により、初期再灌流に際し、心筋梗塞に対し保護する；ウサギにおける麻酔誘発ポストコンディショニングの証明）. Anesthesiology 2005;102:102-109.
(50)  Halkos ME, Kerendi F, Corvera JS, Wang N-P, Kin H, Payne CS et al.  Myocardial protection with postconditioning is not enhanced by ischemic preconditioning（ポストコンディショニングによる心筋保護は虚血プレコンディショニングによって増強されない）. Ann Thorac Surg 2004;78:961-969.
(51)  Zhao Z-Q, Corvera JS, Halkos ME, Kerendi F, Wang N-P, Guyton RA et al.  Inhibition of myocardial injury by ischemic postconditioning during reperfusion: comparison with ischemic preconditioning（再灌流に際しての虚血性ポストコンディショニングによる心筋傷害の阻害：虚血プレコンディショニングとの比較）. Am J Physiol (Heart Circ Physiol) 2003;285:579-588.
(52)  Staat P, Rioufol G, Piot C, et al.  Postconditioning the human heart（ヒト心臓のポストコンディショニング）.  Circulation 2005;112:2143-2148.
【００７４】
【表１】
2008525468.tif 000003
【表２】
2008525468.tif 000004
【００７５】
【表３】
2008525468.tif 000005
【表４】
2008525468.tif 000006
【００７６】
【表５】
2008525468.tif 000007
【表６】
2008525468.tif 000008
【００７７】
【表７】
2008525468.tif 000009
【表８】
2008525468.tif 000010
【表９】
2008525468.tif 000011
【００７８】
【表１０】
2008525468.tif 000012
【表１１】
2008525468.tif 000013
【００７９】
【表１２】
2008525468.tif 000014
【表１３】
2008525468.tif 000015
【００８０】
これらの作用因子はポストコンディショニングを補足するために、単独で、またはポストコンディショニングとの何らかの組合せで、使用することができる。例えば、カリポリド（ナトリウム−水素交換インヒビター）はポストコンディショニングに加えて、アデノシンとともに使用することができる。該薬物はポストコンディショニングの手順の前、その間またはその後に投与し得る。該薬物は虚血後期間に必要とされるものとして補足し得るものであり、連続して注入投与するか、または所定の期間、所定の時間に複数回に分けて注入投与し得る。例えば、アデノシン１３０μｇ/ｋｇ/分をポストコンディショニング後、最初の再灌流時間、全身投与し、次いでボーラスとして投与するか、または１３０μｇ/ｋｇでのゆっくりとした注入を再灌流開始後の６時間、１２時間、２４時間目に実施する。
【００８１】
当業者には明白ではるが、本発明においては、その発明の範囲または精神から逸脱することなくさまざまな修飾と変更をなし得る。本発明の他の態様は、本明細書に開示された本発明の明細と実践を考察することによって、当業者に明らかとなろう。意図することは、該明細と実例は単なる例示であり、本発明の真の範囲と精神は添付の特許請求の範囲に記載されたものであると考えるべきであることである。
【図面の簡単な説明】
【００８２】
【図１】図１は虚血（Ｉ）および再灌流（Ｒ）後の心筋層に対するポストコンディショニングにおける一つの可能な変動の影響を決定するために使用した実験プロトコールを示す。対照群（ｎ＝１０）；ポスト−コン（ｎ＝１０）；プレ−コン（ｎ＝９）；虚血プレコンディショニングは、左前下降冠状動脈（ＬＡＤ）閉塞の６０分前、５分間の冠状閉塞と、引き続く１０分間の再灌流により誘発した；また、ポストコンディショニングは、３時間の再灌流の前、それぞれ３サイクルの３０秒間の再灌流と、引き続く３０秒間の閉塞とした。ポスト−コンはポストコンディショニング；プレ−コンはプレコンディショニングである。
【００８３】
【図２】図２はプレコンディショニング染色に対比して、塩化トリフェニルテトラゾリウム（ＴＴＣ）により決定した虚血ポストコンディショニングによる心筋梗塞サイズの縮小を示す棒グラフである。左心室（ＬＶ）マスに比例するリスク（ＡＡＲ）の範囲（ＡＡＲ／ＬＶ）と壊死の範囲（ＡＮ）をＡＡＲのパーセント（ＡＮ／ＡＡＲ）として表した。虚血ポストコンディショニングは、対照群と比較してＡＮ／ＡＡＲを４８％有意に低下させ、従って、虚血プレコンディショニングに対し、心臓保護が等能力であることを示した。対照群に対し、＊Ｐ＜０.０５。値は群平均±Ｓ.Ｅ.Ｍ.である。
【００８４】
【図３】図３は虚血ポストコンディショニングによるＬＡＤ灌流心筋層における心筋浮腫の縮小を示す棒グラフである。正常：非虚血ゾーン；Ｉｓｃｈ−ｅｐｉ：虚血心外膜下；Ｉｓｃｈ−ｅｎｄｏ：虚血心内膜下。虚血ポストコンディショニングは、対照群と比較して組織含水量を有意に低下させた。正常ゾーンに対し、＊Ｐ＜０.０５。対照群に対し、†Ｐ＜０.０１。値は群平均±Ｓ.Ｅ.Ｍ.である。
【００８５】
【図４】図４は冠状閉塞と再灌流の過程での血漿クレアチン・キナーゼ（ＣＫ）活性を示すグラフである。血漿ＣＫ活性は、ベースラインと虚血後の２群間で同等であった。梗塞サイズの減少と矛盾なく、虚血ポストコンディショニングは対照群値に比例して、再灌流２時間目からＣＫ活性を有意に低下させた。値は平均±Ｓ.Ｅ.Ｍ.である。対照群に対し、＊Ｐ＜０.０５。ベースラインとＩｓｃｈ値に対し、＊Ｐ＜０.０１。対照群に対し、ｐ＜０.０５。
【００８６】
【図５】図５は、虚血−再灌流心筋層における局所性経壁心筋血流を示す線グラフである。ベースラインでの値および虚血の間の値は、２群間で同等であった。１５分間の再灌流に際しての充血が、虚血性プレ−およびポストコンディショニングにより有意に阻害された。値は平均±Ｓ.Ｅ.Ｍ.である。虚血に対し、＊Ｐ＜０.０５＝対照群に対し、†Ｐ＜０.０５。
【００８７】
【図６】図６は、非虚血左回旋冠状動脈（ＬＣＸ）冠状動脈輪および虚血−再灌流（ＬＡＤ）冠状動脈輪の虚血後−再灌流内皮機能を示す線グラフであり、臓器チェンバー中のアセチルコリンの増大する濃度への応答として評価したものである。再灌流時のアセチルコリンに対する応答は、非虚血性ＬＣＸ冠状動脈輪の応答に対して、有意に鈍かった。虚血ポストコンディショニングにおける応答は有意に上昇したが、このことはポストコンディショニングよるより良好な内皮機能と虚血−再灌流傷害の回避を示唆している。値は、イヌ５匹からの少なくとも１２の輪の平均±Ｓ.Ｅ.Ｍ.である。虚血ポスト−およびプレ−コンディショニングに対する対照群のＬＡＤ＊Ｐ＜０.０５。
【００８８】
【図７】図７は、血管平滑筋拡張剤ニトロプルシドに対する非虚血ＬＣＸ冠状輪の応答と、虚血−再灌流（ＬＡＤ）冠状輪の応答を示す線グラフである。群間の差はすべての群において検出されなかったが、このことは血管平滑筋の機能が正常であり、群間で同等であったことを示唆している。
【００８９】
【図８】図８は、プレコンディショニングに対し、虚血ポストコンディショニングによる冠状内皮への未刺激蛍光標識好中球の付着の阻害を示す棒グラフである。付着の程度は、冠状動脈内皮が受けた傷害の程度と相関し、一酸化窒素またはアデノシンの基礎的生成の喪失に関係する。ＬＣＸ：非虚血左回旋冠状動脈；ＬＡＤ：虚血／再灌流左前下降冠状動脈；Ｐｏｓｔ−ＬＡＤ：虚血ポストコンディショニング群のＬＡＤ；Ｐｒｅ−ＬＡＤ：虚血プレコンディショニング群のＬＡＤ。虚血プレコンディショニングによる保護と同様の強さで、虚血ポストコンディショニングは、対照群と比較して、冠状内皮への好中球付着を阻害した。値は群平均±Ｓ.Ｅ.Ｍ.である。ＬＣＸに対し、＊Ｐ＜０.０５；対照群におけるＬＡＤに対し、ＨＰ＜０.０１。
【００９０】
【図９】図９は、ＬＡＤ虚血および再灌流後の異なる実験群における非虚血（正常）ゾーンおよび虚血ゾーンでの好中球蓄積のマーカーとしての組織ミエロペルオキシダーゼ（デルタ吸光度Δ単位／分（abs／min.）でのＭＰＯ）活性を示す。上昇したＭＰＯ活性は、対照ＡＡＲにおける再灌流の終点で見られた。虚血ポストコンディショニングは対照群と比較して、ＭＰＯ活性を有意に低下させ、プレコンディショニング群と同等であった。棒グラフの高さは平均±ＳＥＭを表す。正常組織に対して、＊Ｐ＜０.０５；対照群に対してのポスト−コンおよびプレ−コン群、†Ｐ＜０.０５。
【００９１】
【図１０】図１０は虚血−再灌流のラットモデルにおける研究プロトコールの説明図を示す。斜交平行線付きの棒グラフ＝ナトリウム−水素交換インヒビターのカリポリドを静脈内投与した時点。垂直平行線棒グラフ＝ポストコンディショニング・アルゴリズム。対照（ｎ＝８）；左冠状動脈（ＬＣＡ）を閉塞し、次いで３時間再灌流した（白色棒グラフ）。ポスト−コン（ｎ＝８）：１０秒間の完全再灌流（Ｒ、白色棒グラフ）および１０秒間の再閉塞虚血（Ｉ、暗色棒グラフ）を３サイクル繰り返した。ＮＨＥ（１）（ｎ＝８）；カリポリド（１ｍｇ／ｋｇ）を再灌流前５分に注射し、次いで、抑制のないＲとした。ＮＨＥ（１）＋ポスト−コン（ｎ＝８）；カリポリド、次いでポスト−コン。遅延（Ｄ）−ＮＨＥ（１）（ｎ＝８）：１分間の完全に抑制のない再灌流後の５分間にカリポリドを注射した。ポスト−コン＋Ｄ−ＮＨＥ（１）（ｎ＝８）；ポスト−コン、次いで５分間カリポリド注射。ポスト−コン＝ポストコンディショニング、ＮＨＥ（１）＝１ｍｇ／ｋｇカリポリド。
【００９２】
【図１１】図１１は、左心室（ＬＶ）のパーセントで表したリスク範囲（ＡＡＲ）とＡＡＲのパーセントで表した壊死の範囲（ＡＮ）を示す。梗塞サイズはＡＮとＡＡＲのパーセントで表す。すべての群において、梗塞サイズは対照に比較し、縮小していた。ポスト−コン＋Ｄ−ＮＨＥ（１）群に観察される梗塞サイズの縮小は、ポストコンディショニング単独よりも有意に大きかった。対照に対し、＊ｐ＜０.０５、対照に対し、＃ｐ＜０.００１。ポスト−コン＝ポストコンディショニング。値は平均±ＳＥＭである。
【図１】
2008525468.tif 000016
【図２】
2008525468.tif 000017
【図３】
2008525468.tif 000018
【図４】
2008525468.tif 000019
【図５】
2008525468.tif 000020
【図６】
2008525468.tif 000021
【図７】
2008525468.tif 000022
【図８】
2008525468.tif 000023
【図９】
2008525468.tif 000024
【図１０】
2008525468.tif 000025
【図１１】
2008525468.tif 000026
【国際調査報告】
2008525468.tif 000027
2008525468.tif 000028